(57)【要約】【課題】２方向クラッチのオン、オフを電磁クラッチによって制御するようにした回転伝達装置において、２方向クラッチの保持器にオン、オフのスイッチトルクを負荷する接触部での摩耗および破損を防止することである。【解決手段】内輪１と外輪２の相互間に２方向クラッチ１０と、その２方向クラッチ１０を制御する電磁クラッチ２０とを設ける。電磁クラッチ２０を２方向クラッチ１０の保持器１４に嵌合されたコネクティングプレート２１と、アーマチュア２２と、外輪２と一体に回転するロータ２３およびそのロータ２３にアーマチュア２２を吸着させる電磁石２４とで形成する。コネクティングプレート２１の外周に形成された係合片２５をアーマチュア２２に形成された係合孔２６に挿入して、アーマチュア２２を回り止めし、かつ軸方向に移動自在に支持し、上記係合孔２６の両側に突出部２７を形成して、アーマチュア２２が軸方向に移動しても、係合片２５と係合孔２６の接触面積を一定に保持するようにして、接触部での摩耗、破損を防止する。【選択図】図１
2005337486.tif 000002
【特許請求の範囲】
【請求項１】
入力側部材と出力側部材とを内外に配置して相対的に回転自在に支持し、その入力側部材と出力側部材の相互間に、係合子およびその係合子を保持する保持器を有し、その保持器と入力側部材の相対回転により係合子を入力側部材と出力側部材に係合させて両部材を結合する２方向クラッチと、その２方向クラッチの係合子が係合解除される中立位置に保持器を弾性保持するスイッチばねと、前記２方向クラッチの係合および係合解除を制御する電磁クラッチとを組込み、前記電磁クラッチが、保持器に回り止めされたコネクティングプレートと、そのコネクティングプレートと軸方向で対向するアーマチュアと、出力側部材に取付けられてアーマチュアと軸方向で対向するロータと、そのロータにアーマチュアを吸着させる電磁石とから成り、前記コネクティングプレートに形成された係合片をアーマチュアに形成された係合孔に挿入して、アーマチュアを回り止めし、かつ軸方向に移動自在とした回転伝達装置において、前記アーマチュアに形成された係合孔の周方向で対向する両側部にコネクティングプレート側に延びて係合片の両側面に対向する一対の突出部を設けたことを特徴とする回転伝達装置。
【請求項２】
入力側部材と出力側部材とを内外に配置して相対的に回転自在に支持し、その入力側部材と出力側部材の相互間に、係合子およびその係合子を保持する保持器を有し、その保持器と入力側部材の相対回転により係合子を入力側部材と出力側部材に係合させて両部材を結合する２方向クラッチと、その２方向クラッチの係合子が係合解除される中立位置に保持器を弾性保持するスイッチばねと、前記２方向クラッチの係合および係合解除を制御する電磁クラッチとを組込み、前記電磁クラッチが、保持器の端面に対向配置されたアーマチュアと、出力側部材に取付けられてアーマチュアと軸方向で対向するロータと、そのロータにアーマチュアを吸着させる電磁石とから成り、前記保持器の端面に形成された係合片をアーマチュアに形成された係合孔に挿入して、アーマチュアを回り止めし、かつ軸方向に移動自在とした回転伝達装置において、前記アーマチュアに形成された係合孔の周方向で対向する両側部に保持器側に延びて係合片の両側面に対向する一対の突出部を設けたことを特徴とする回転伝達装置。
【請求項３】
前記突出部が折曲片から成る請求項１又は２に記載の回転伝達装置。
【請求項４】
前記突出部がプレスの半抜きにより形成された突起から成る請求項１又は２に記載の回転伝達装置。
【請求項５】
入力側部材と出力側部材とを内外に配置して相対的に回転自在に支持し、その入力側部材と出力側部材の相互間に、係合子およびその係合子を保持する保持器を有し、その保持器と入力側部材の相対回転により係合子を入力側部材と出力側部材に係合させて両部材を結合する２方向クラッチと、その２方向クラッチの係合子が係合解除される中立位置に保持器を弾性保持するスイッチばねと、前記２方向クラッチの係合および係合解除を制御する電磁クラッチとを組込み、前記電磁クラッチが、保持器に回り止めされたコネクティングプレートと、そのコネクティングプレートと軸方向で対向するアーマチュアと、出力側部材に取付けられてアーマチュアと軸方向で対向するロータと、そのロータにアーマチュアを吸着させる電磁石とから成り、前記コネクティングプレートに形成された係合片をアーマチュアに形成された係合孔に挿入して、アーマチュアを回り止めし、かつ軸方向に移動自在とした回転伝達装置において、前記ロータの前記アーマチュアが接触する摩擦面に環状の案内溝を設け、前記コネクティングプレートの係合片をその先端部が案内溝内に挿入される長さとしたことを特徴とする回転伝達装置。
【請求項６】
入力側部材と出力側部材とを内外に配置して相対的に回転自在に支持し、その入力側部材と出力側部材の相互間に、係合子およびその係合子を保持する保持器を有し、その保持器と入力側部材の相対回転により係合子を入力側部材と出力側部材に係合させて両部材を結合する２方向クラッチと、その２方向クラッチの係合子が係合解除される中立位置に保持器を弾性保持するスイッチばねと、前記２方向クラッチの係合および係合解除を制御する電磁クラッチとを組込み、前記電磁クラッチが、保持器の端面に対向配置されたアーマチュアと、出力側部材に取付けられてアーマチュアと軸方向で対向するロータと、そのロータにアーマチュアを吸着させる電磁石とから成り、前記保持器の端面に形成された係合片をアーマチュアに形成された係合孔に挿入して、アーマチュアを回り止めし、かつ軸方向に移動自在とした回転伝達装置において、前記ロータの前記アーマチュアが接触する摩擦面に環状の案内溝を設け、前記保持器の係合片をその先端部が案内溝内に挿入される長さとしたことを特徴とする回転伝達装置。
【発明の詳細な説明】
【技術分野】
【０００１】
この発明は、動力の伝達と遮断の切り換えに用いられる回転伝達装置に関するものである。
【背景技術】
【０００２】
ＦＲベースの４輪駆動車において、補助駆動輪としての前輪に駆動力の伝達と遮断とを行なう回転伝達装置として、特許文献１に記載されたものが従来から知られている。
【０００３】
上記特許文献１に記載された回転伝達装置においては、入力軸にカムリングを取付け、そのカムリングとその外側に設けられた外輪の相互間に２方向クラッチと、電磁クラッチとを組込み、上記電磁クラッチにより２方向クラッチのオン、オフを制御し、その２方向クラッチのオンによりカムリングと外輪とを結合して、入力軸の回転トルクを外輪に伝達し、その外輪の回転トルクを前輪に伝えるようにしている。
【０００４】
ここで、２方向クラッチは、外輪の内周に円筒面を形成し、カムリングの外周には上記円筒面との間でくさび形空間を形成する複数のカム面を周方向に間隔をおいて設け、各カム面と円筒面間にローラを組込み、そのローラを保持器により保持して、カムリングに対する保持器の相対回転によりローラを円筒面およびカム面に係合させるようにしている。また、カムリングと保持器の相互間にスイッチばねを組込み、上記カムリングと保持器の相対回転によりスイッチばねを弾性変形させ、その復元弾性によってローラが係合解除される中立位置に保持器を復帰回転させるようにしている。
【０００５】
一方、電磁クラッチは、保持器に対して回り止めされ、かつ軸方向に移動可能に支持されたアーマチュアと、外輪に嵌合されてアーマチュアと軸方向で対向するロータと、そのロータに対向配置された電磁石とを有し、上記電磁石の電磁コイルに対する通電によりアーマチュアをロータに吸着して保持器に前記スイッチばねのばね力を超えるスイッチトルクを負荷し、保持器とカムリングの相対回転により、ローラを円筒面およびカム面に係合させるようにしている。
【０００６】
上記の構成から成る電磁クラッチにおいて、保持器に対してアーマチュアを回り止めし、かつ、軸方向に移動可能とするため、保持器とアーマチュアの連結に図１４（Ｉ）に示す連結構造を採用する場合が多くなっている。
【０００７】
上記連結構造は、保持器４０の端部内にコネクティングプレート４１を嵌合し、そのコネクティングプレート４１の外周に形成された係合片４２を保持器４０の端部に設けられた切欠部４３に嵌合してコネクティングプレート４１を回り止めし、このコネクティングプレート４１の係合片４２をアーマチュア４４に形成された係合孔４５に挿入して、アーマチュア４４を回り止めし、かつ軸方向に移動自在としている。
【０００８】
なお、図１４（Ｉ）に示す４６はカムリングを示し、また、４７はアーマチュア４４に対向したロータ、４８はロータ４７に対向した電磁石を示す。
【特許文献１】特開平１０−２１１８２８号公報
【発明の開示】
【発明が解決しようとする課題】
【０００９】
ところで、図１４（Ｉ）に示す連結構造を採用した従来の回転伝達装置においては、各部品の寸法公差が最も悪い状態で係合片４２の先端がロータ４７の摩擦面に接触しないようにする必要があるため、係合片４２はある一定以上長くすることはできない。
【００１０】
このため、電磁石４８の電磁コイルに対する通電によって図１４（II）に示すように、ロータ４７にアーマチュア４４を吸着すると、係合片４２と係合孔４５の接触長さＬが短くなり、接触面積が減少する状態で保持器４０にスイッチトルクが負荷されるため、係合片４２と係合孔４５の接触面での面圧が高く、上記接触面で摩耗や破損が発生するおそれがある。
【００１１】
なお、保持器４０に対してアーマチュア４４を回り止めし、かつ軸方向に移動可能とするため、図１４（Ｉ）に示すコネクティングプレート４１を省略し、保持器の端面に係合片を設け、その係合片をアーマチュアに形成された係合孔に挿入するようにした連結構造も従来から知られているが、この場合も図１４（Ｉ）に示す連結構造と同様に、アーマチュアの吸着状態での係合片と係合孔の接触長さが短く、接触面での摩耗や破損が発生するおそれがあった。
【００１２】
この発明の課題は、保持器に対して電磁クラッチのアーマチュアを回り止めし、かつ軸方向に移動可能とした回転伝達装置において、保持器にスイッチトルクを伝達する接触部での摩耗や破損を防止することである。
【課題を解決するための手段】
【００１３】
上記の課題を解決するために、第１の発明においては、入力側部材と出力側部材とを内外に配置して相対的に回転自在に支持し、その入力側部材と出力側部材の相互間に、係合子およびその係合子を保持する保持器を有し、その保持器と入力側部材の相対回転により係合子を入力側部材と出力側部材に係合させて両部材を結合する２方向クラッチと、その２方向クラッチの係合子が係合解除される中立位置に保持器を弾性保持するスイッチばねと、前記２方向クラッチの係合および係合解除を制御する電磁クラッチとを組込み、前記電磁クラッチが、保持器に回り止めされたコネクティングプレートと、そのコネクティングプレートと軸方向で対向するアーマチュアと、出力側部材に取付けられてアーマチュアと軸方向で対向するロータと、そのロータにアーマチュアを吸着させる電磁石とから成り、前記コネクティングプレートに形成された係合片をアーマチュアに形成された係合孔に挿入して、アーマチュアを回り止めし、かつ軸方向に移動自在とした回転伝達装置において、前記アーマチュアに形成された係合孔の周方向で対向する両側部にコネクティングプレート側に延びて係合片の両側面に対向する一対の突出部を設けた構成を採用したのである。
【００１４】
また、第２の発明においては、入力側部材と出力側部材とを内外に配置して相対的に回転自在に支持し、その入力側部材と出力側部材の相互間に、係合子およびその係合子を保持する保持器を有し、その保持器と入力側部材の相対回転により係合子を入力側部材と出力側部材に係合させて両部材を結合する２方向クラッチと、その２方向クラッチの係合子が係合解除される中立位置に保持器を弾性保持するスイッチばねと、前記２方向クラッチの係合および係合解除を制御する電磁クラッチとを組込み、前記電磁クラッチが、保持器の端面に対向配置されたアーマチュアと、出力側部材に取付けられてアーマチュアと軸方向で対向するロータと、そのロータにアーマチュアを吸着させる電磁石とから成り、前記保持器の端面に形成された係合片をアーマチュアに形成された係合孔に挿入して、アーマチュアを回り止めし、かつ軸方向に移動自在とした回転伝達装置において、前記アーマチュアに形成された係合孔の周方向で対向する両側部に保持器側に延びて係合片の両側面に対向する一対の突出部を設けた構成を採用している。
【００１５】
第１の発明および第２の発明において、突出部は折曲片から成るものであってもよく、あるいは、アーマチュアをその厚みの範囲内でプレス抜きを行なってアーマチュアの片面側に突出させた半抜きの突起から成るものであってもよい。
【００１６】
また、上記の課題を解決するために、第３の発明においては、入力側部材と出力側部材とを内外に配置して相対的に回転自在に支持し、その入力側部材と出力側部材の相互間に、係合子およびその係合子を保持する保持器を有し、その保持器と入力側部材の相対回転により係合子を入力側部材と出力側部材に係合させて両部材を結合する２方向クラッチと、その２方向クラッチの係合子が係合解除される中立位置に保持器を弾性保持するスイッチばねと、前記２方向クラッチの係合および係合解除を制御する電磁クラッチとを組込み、前記電磁クラッチが、保持器に回り止めされたコネクティングプレートと、そのコネクティングプレートと軸方向で対向するアーマチュアと、出力側部材に取付けられてアーマチュアと軸方向で対向するロータと、そのロータにアーマチュアを吸着させる電磁石とから成り、前記コネクティングプレートに形成された係合片をアーマチュアに形成された係合孔に挿入して、アーマチュアを回り止めし、かつ軸方向に移動自在とした回転伝達装置において、前記ロータの前記アーマチュアが接触する摩擦面に環状の案内溝を設け、前記コネクティングプレートの係合片をその先端部が案内溝内に挿入される長さとした構成を採用したのである。
【００１７】
さらに、第４の発明においては、入力側部材と出力側部材とを内外に配置して相対的に回転自在に支持し、その入力側部材と出力側部材の相互間に、係合子およびその係合子を保持する保持器を有し、その保持器と入力側部材の相対回転により係合子を入力側部材と出力側部材に係合させて両部材を結合する２方向クラッチと、その２方向クラッチの係合子が係合解除される中立位置に保持器を弾性保持するスイッチばねと、前記２方向クラッチの係合および係合解除を制御する電磁クラッチとを組込み、前記電磁クラッチが、保持器の端面に対向配置されたアーマチュアと、出力側部材に取付けられてアーマチュアと軸方向で対向するロータと、そのロータにアーマチュアを吸着させる電磁石とから成り、前記保持器の端面に形成された係合片をアーマチュアに形成された係合孔に挿入して、アーマチュアを回り止めし、かつ軸方向に移動自在とした回転伝達装置において、前記ロータの前記アーマチュアが接触する摩擦面に環状の案内溝を設け、前記保持器の係合片をその先端部が案内溝内に挿入される長さとした構成を採用している。
【発明の効果】
【００１８】
第１の発明および第２の発明のように、係合孔の周方向で対向する両側部に一対の突出部を形成することにより、ロータにアーマチュアを吸着して、係合片と係合孔の接触部から保持器にスイッチトルクを負荷するトルク伝達時に係合片と係合孔の接触部での接触面積の減少を防止することができ、上記接触部での摩耗や破損を防止することができる。
【００１９】
また、第３および第４の発明においても、第１の発明と同様に、係合片と係合孔の接触部での接触面積の減少を防止し、上記接触部での摩耗や破損を防止することができる。
【発明を実施するための最良の形態】
【００２０】
以下、この発明の実施の形態を図１乃至図１３に基づいて説明する。図１乃至図６は、この発明に係る回転伝達装置の第１の実施形態を示す。図１に示すように、入力側部材としての内輪１とその外側に設けられた出力側部材としての外輪２は軸受３を介して相対的に回転自在に支持されている。
【００２１】
内輪１は大径のカムリング部４を有し、そのカムリング部４と外輪２間に２方向クラッチ１０が組込まれている。
【００２２】
図１および図３に示すように、２方向クラッチ１０は外輪２の内周に円筒面１１を形成し、カムリング部４の外周には上記円筒面１１との間でくさび形空間を形成する複数のカム面１２を周方向に等間隔に設け、各カム面１２と円筒面１１間にローラから成る係合子１３を組込み、各係合子１３を内輪１と外輪２間に組込まれた保持器１４によって保持したローラタイプの２方向クラッチから成っている。
【００２３】
図２および図３に示すように、カムリング部４の端面にはばね嵌合凹部１５が形成され、そのばね嵌合凹部１５内にスイッチばね１６が組込まれている。スイッチばね１６はＣ形をなし、その両端から外向きに形成された一対の押圧片１６ａはばね嵌合凹部１５の外周壁に形成された切欠部１７から保持器１４の端部に設けられた切欠き１８内に挿入されて、切欠部１７および切欠き１８の周方向で対向する側面を相反する方向に押圧し、その押圧によって係合子１３が円筒面１１およびカム面１２に係合解除される中立位置に保持器１４を弾性保持している。
【００２４】
図１に示すように、外輪２の端部には非磁性体から成るロータガイド５の一端部が嵌合されている。ロータガイド５は外輪２に回り止めされて外輪２と共に回転するようになっており、そのロータガイド５内に２方向クラッチ１０のオン、オフを制御する電磁クラッチ２０が組込まれている。
【００２５】
電磁クラッチ２０は、保持器１４の端部開口内に嵌合されてスイッチばね１６を抜け止めするコネクティングプレート２１と、そのコネクティングプレート２１に対して軸方向に対向配置されたアーマチュア２２と、そのアーマチュアに対して軸方向に対向配置されたロータ２３と、そのロータ２３にアーマチュア２２を吸着させる電磁石２４とから成っている。
【００２６】
図２および図４に示すように、コネクティングプレート２１は一対のＬ形の係合片２５を外周対向位置に有し、各係合片２５は保持器１４の端部に形成された前記切欠き１８に挿入され、その挿入によってコネクティングプレート２１は保持器１４に対して回り止めされている。
【００２７】
また、係合片２５はアーマチュア２２に形成された係合孔２６内に挿入されている。図２および図５に示すように、係合孔２６の周方向で対向する両側部にはコネクティングプレート２１側に延びて係合片２５の両側面に対向する一対の突出部２７が設けられている。突出部２７として、ここでは、アーマチュア２２に係合孔２６のプレート径方向で対向する内面に沿って延びる２条の切り込みを形成し、その２条の切り込み間をコネクティングプレート２１側に向けて折曲げた折曲片から成っている。
【００２８】
アーマチュア２２は、係合孔２６に対する係合片２５の挿入により、保持器１４に対して回り止めされ、かつ軸方向に移動可能とされている。このアーマチュア２２とロータ２３との間に離反ばね２８が組込まれ、その離反ばね２８によってアーマチュア２２はロータ２３から離反する方向に付勢されている。
【００２９】
図１に示すように、ロータ２３は断面がコの字形とされている。このロータ２３はロータガイド５内に嵌合され、かつ回り止めされてロータガイド５と共に回転するようになっている。
【００３０】
電磁石２４は固定部材Ａに支持されてロータガイド５内に配置され、その電磁石２４の電磁コイル２４ａに対する通電によりアーマチュア２２はロータ２３に吸着されるようになっている。
【００３１】
第１の実施形態で示す回転伝達装置は上記の構造から成り、電磁石２４の電磁コイル２４ａに対する通電の遮断状態では、２方向クラッチ１０の係合子１３はスイッチばね１６によって円筒面１１およびカム面１２に対して係合解除された中立位置に保持されている。
【００３２】
このため、内輪１が回転しても、その回転は外輪２に伝達されない。このとき、内輪１と保持器１４の相互間にはスイッチばね１６が組込まれているため、内輪１と共に保持器１４が回転し、また、保持器１４に回り止めされたコネクティングプレート２１を介して保持器１４の回転はアーマチュア２２に伝達され、アーマチュア２２も回転する。
【００３３】
内輪１の回転状態において、電磁クラッチ２０の電磁コイル２４ａに通電すると、アーマチュア２２に吸引力が付与され、アーマチュア２２はロータ２３に向けて移動してロータ２３に吸着される。その吸着面に作用する摩擦抵抗はアーマチュア２２の回転抵抗となり保持器１４にスイッチトルクが作用して内輪１と保持器１４とが相対回転する。その回転によって係合子１３は円筒面１１およびカム面１２に係合し、内輪１の回転が外輪２に伝達される。
【００３４】
また、内輪１と保持器１４の相対回転により、図２に示すスイッチばね１６が弾性変形する。
【００３５】
このため、電磁コイル２４ａに対する通電を遮断すると、スイッチばね１６のばね力により保持器１４が回転され、係合子１３は円筒面１１およびカム面１２に対して係合解除される中立位置に戻され、内輪１から外輪２への回転伝達が遮断される。
【００３６】
第１の実施形態における回転伝達装置においては、図２、図５および図６に示すように、アーマチュア２２に形成された係合孔２６の両側部にコネクティングプレート２１に向けて延びる突出部２７を形成しているため、電磁コイル２４ａに対する通電により、アーマチュア２２がロータ２３側に移動して、図６に示すようにロータ２３に吸着され、係合孔２６と係合片２５の接触部から保持器１４にスイッチトルクが伝達されるとき、係合片２５と係合孔２６の接触部での接触面積の減少はない。このため、係合片２５と係合孔２６の接触部での面圧は一定に保持されることになり、上記接触部での摩耗や破損を防止することができる。
【００３７】
ここで、図５および図６では、突出部２７として折曲片から成るものを示したが、突出部２７はこれに限定されるものではない。例えば、図７に示すように、係合孔２６の両側部をアーマチュア２２の厚み範囲内でプレスによる半抜きを行なって突起を形成し、その突起を突出部２７としてもよい。
【００３８】
突起から成る突出部２７においても、係合片２５と係合孔２６の接触部での接触面積の減少を防止し、上記接触部での摩耗や破損を防止することができる。
【００３９】
図８および図９は、この発明に係る回転伝達装置の第２の実施形態を示す。この実施形態では、ロータ２３のアーマチュア２２が接触する摩擦面に、アーマチュア２２の係合孔２６と対応して環状の案内溝２９を形成し、上記係合孔２６に挿入された係合片２５を、その先端部が上記案内溝２９に挿入される長さとした点、および図２に示す突出部２７を省略している点で第１の実施形態で示す回転伝達装置と相違している。
【００４０】
このため、第１の実施形態で示す回転伝達装置と同一の部品には同一符号を付して説明を省略する。
【００４１】
第２の実施形態で示すように、ロータ２３に案内溝２９を形成し、コネクティングプレート２１に形成された係合片２５をその先端部が上記案内溝２９に挿入される長さとすることにより、アーマチュア２２がロータ２３に向けて移動してロータ２３に吸着され、保持器１４にスイッチトルクが負荷される場合に、係合片２５と係合孔２６の接触部における接触面積が減少するのを防止することができ、上記接触部での摩耗および破損を防止することができる。
【００４２】
図１０乃至図１２は、この発明に係る回転伝達装置の第３の実施形態を示す。この実施形態では、保持器１４の端面には複数の係合片３０を設け、各係合片３０をアーマチュア２２に形成された係合孔２６に挿入している点および図１に示すコネクティングプレート２１に代えて押え板３１を保持器１４の端部内に挿入し、その押え板３１を内輪１の端部外周に取付けた止め輪３２により軸方向に非可動に支持してスイッチばね１６を押えるようにしている点で第１の実施形態で示す回転伝達装置と相違している。
【００４３】
このため、第１の実施形態で示す回転伝達装置と同一の部品には同一符号を付して説明を省略する。
【００４４】
第３の実施形態で示すように、保持器１４の端面に係合片３０を形成し、その係合片３０をアーマチュア２２に形成された係合孔２６に挿入することによって、アーマチュア２２を保持器１４に対して回り止めし、かつ軸方向に移動可能とすることができ、第１の実施形態で示すコネクティングプレート２１を省略することができる。
【００４５】
また、保持器１４の端部内に嵌合されたコネクティングプレート２１に係合片２５を形成する場合、保持器１４の端面によって後退位置が規制されるアーマチュア２２の係合孔２６と係合片２５の相対的な位置は部品の加工誤差や公差によってバラツキが大きくなり、突出部２７の突出長さを大きくとる必要があるが、第３の実施形態で示すように、保持器１４の端面に係合片３０を形成すると、アーマチュア２２の係合孔２６と係合片３０の相対的な位置のバラツキを小さくすることができる。
【００４６】
このため、係合孔２６の両側にプレスの半抜きによって突出部２７を形成する場合に、その突出部２７の突出量を少なくすることができ、コストの低減を図ることができる。
【００４７】
図１３は、この発明に係る回転伝達装置の第４の実施形態を示す。この実施形態では、ロータ２３のアーマチュア２２が接触する摩擦面に、アーマチュア２２の係合孔２６と対応して環状の案内溝３３を形成し、上記係合孔２６に挿入された係合片３０を、その先端部が上記案内溝２９に挿入される長さとした点、および図１１に示す突出部２７を省略している点で図１１に示す第３の実施形態の回転伝達装置と相違している。
【００４８】
このため、第３の実施形態で示す回転伝達装置と同一の部品には同一符号を付して説明を省略する。
【００４９】
第４の実施形態に示す回転伝達装置においても、図８に示すコネクティングプレート２１を省略することができるため、コストの低減を図ることができる。
【００５０】
第１の実施形態乃至第４の実施形態では、外輪２の内周に円筒面１１を形成し、内輪１の外周にカム面１２を形成したが、上記とは逆に、内輪１の外周に円筒面を形成し、外輪２の内周にカム面を形成してもよい。この場合、外輪２と保持器１４の相互間にスイッチばねを組込むと共に、ロータ２３を内輪１に接続される軸に取付けるようにする。
【００５１】
また、２方向クラッチ１０として、係合子１３がローラから成るローラタイプの２方向クラッチを示したが、スプラグを係合子とするスプラグタイプの２方向クラッチであってもよい。この場合、内輪の外周および外輪の内周に円筒面を形成し、両円筒面間に組込まれたスプラグを径の異なる保持器で保持し、その小径側の保持器を内輪に固定し、大径側の保持器と内輪の相互間にスプラグを中立位置に保持するスイッチばねを組込むようにする。
【図面の簡単な説明】
【００５２】
【図１】この発明に係る回転伝達装置の第１の実施形態を示す縦断正面図
【図２】図１の一部を拡大して示す断面図
【図３】図１のIII−III線に沿った断面図
【図４】図１のIV−IV線に沿った断面図
【図５】図４のＶ−Ｖ線に沿った断面図
【図６】図５に示すアーマチュアがロータに吸着された状態を示す断面図
【図７】突出部の他の例を示す断面図
【図８】この発明に係る回転伝達装置の第２の実施形態を示す断面図
【図９】図８の一部を拡大して示す断面図
【図１０】この発明に係る回転伝達装置の第３の実施形態を示す縦断正面図
【図１１】図１０の一部を拡大して示す断面図
【図１２】図１０のXII−XII線に沿った断面図
【図１３】この発明に係る回転伝達装置の第４の実施形態を示す断面図
【図１４】（Ｉ）は従来の回転伝達装置の保持器とアーマチュアの連結構造を示す断面図、（II）はアーマチュアがロータに吸着された状態の断面図
【符号の説明】
【００５３】
１    内輪（入力側部材）
２    外輪（出力側部材）
１０  ２方向クラッチ
１３  係合子
１４  保持器
２０  電磁クラッチ
２１  コネクティングプレート
２２  アーマチュア
２３  ロータ
２４  電磁石
２５  係合片
２６  係合孔
２７  突出部
２９  案内溝
３０  係合片
３３  案内溝
【図１】
2005337486.tif 000003
【図２】
2005337486.tif 000004
【図３】
2005337486.tif 000005
【図４】
2005337486.tif 000006
【図５】
2005337486.tif 000007
【図６】
2005337486.tif 000008
【図７】
2005337486.tif 000009
【図８】
2005337486.tif 000010
【図９】
2005337486.tif 000011
【図１０】
2005337486.tif 000012
【図１１】
2005337486.tif 000013
【図１２】
2005337486.tif 000014
【図１３】
2005337486.tif 000015
【図１４】
2005337486.tif 000016